(57)【要約】【課題】リールに接触することなく液体を巻芯に塗布することのできる貼付装置を提供することを課題とする。【解決手段】開口部Ｃ１が形成されたカートリッジケースＣ内のリールＣＲの巻芯ＨにテープＭＴの先端部ＭＴ１を貼り付けるテープの貼付装置であって、カートリッジケースＣを設置するケース設置部と、ケース設置部に設置されたカートリッジケースＣ内に開口部Ｃ１を通って巻芯Ｈの近傍まで進退自在なテープ先端部搬送手段２２と、を備え、テープ先端部搬送手段２２は、テープＭＴを保持する吸着部と、この吸着部より先端側に形成され、貼付用の液体を噴霧するノズル２４と、を有することを特徴とする。【選択図】図３
2007328830.tif 000002
【特許請求の範囲】
【請求項１】
開口部が形成されたカートリッジケース内のリールの巻芯にテープの先端部を貼り付けるテープの貼付装置であって、
前記カートリッジケースを設置するケース設置部と、
前記ケース設置部に設置されたカートリッジケース内に前記開口部を通って前記巻芯の近傍まで進退自在なテープ先端部搬送手段と、
を備え、
前記テープ先端部搬送手段は、前記テープを保持する吸着部と、この吸着部より先端側に形成され、貼付用の液体を噴霧するノズルと、を有することを特徴とするテープの貼付装置。
【請求項２】
前記リールの巻芯と前記ノズルの先端との距離が、０．５ｍｍ以上離れていることを特徴とする請求項１又は請求項２に記載のテープの貼付装置。
【請求項３】
前記ノズルが複数設けられていることを特徴とする請求項１又は請求項２記載のテープの貼付装置。
【請求項４】
請求項１から請求項３のいずれか一項に記載のテープ貼付装置を用いたテープカートリッジの製造方法であって、
テープが巻装されていないリールを内蔵した前記カートリッジケースを前記ケース設置部に設置する工程と、
前記吸着部に前記テープを吸着した前記テープ先端部搬送手段を、前記カートリッジケース内に前記開口部を通って前記巻芯の近傍に配置する工程と、
前記テープ先端部搬送手段に設けられた前記ノズルから、前記添付用の液体を前記巻芯に噴霧する工程と、
前記液体が噴霧された巻芯に前記テープを貼り付ける工程と、
前記巻芯に前記テープを巻装する工程と、
を備えることを特徴とするテープカートリッジの製造方法。
【発明の詳細な説明】
【技術分野】
【０００１】
本発明は、テープカートリッジの組立ラインにおいて使用されるテープの貼付装置に関し、詳しくは、カートリッジケース内のリールの巻芯にテープの先端部を貼り付けるテープの貼付装置及びこれを用いたテープカートリッジの製造方法に関するものである。
【背景技術】
【０００２】
従来、コンピュータ等のデータバックアップ用の外部記録媒体として、磁気テープカートリッジが知られている。この種の磁気テープカートリッジは、カートリッジケースの内部に磁気テープを巻装する単一のリールや、その他の部分を収容したものであり、カートリッジケースの側壁部分には、磁気テープを引き出すための開口部が形成されている。
【０００３】
磁気テープカートリッジの組立工程の最終段階では、カートリッジケース内のリールの巻芯に磁気テープを巻き取るようになっているが、巻き取り始める際、磁気テープの先端部を巻芯に確実に貼り付ける必要がある。そこで、従来、磁気テープの先端部を巻芯に貼り付けるための貼付装置が、種々提案されている（例えば、特許文献１参照）。
【０００４】
特許文献１には、磁気テープを真空吸着しながら、かつ、カートリッジケース内に向けて進退自在なテープ先端部搬送手段が記載されている。そして、当該テープ先端部搬送手段には、アルコール等の界面活性作用のある液体(以下、「液体」と言う)を吐出する吐出部を有する塗布手段が備えられている。この貼付装置は、巻芯に液体を塗布し、磁気テープを貼り付けるものである。その動作は、以下のとおりである。
【０００５】
まず、テープ先端部搬送手段を前進させて、テープ先端部搬送手段の先端に設けられた塗布手段の吐出部を、リールの巻芯直下に移動させる。そして、吐出部から液体を吐出させた後、テープ先端部搬送手段を上昇させ、回転する巻芯と液体とを接触させ、巻芯に液体を塗布する。そして、一旦テープ先端部搬送手段を下降させた後、テープ先端部搬送手段をさらに前進させ、真空吸着された磁気テープの先端部を、巻芯の下方に移動させる。そして、再びテープ先端部搬送手段を上昇させた後、磁気テープの先端部の真空吸着を解除し、この磁気テープの先端部を、回転する巻芯に接触させるように吹き付け、巻芯に磁気テープを貼り付ける。
【特許文献１】特開２００５-２５９２７３号公報
【発明の開示】
【発明が解決しようとする課題】
【０００６】
しかしながら、前記した特許文献１に記載の装置では、液体が巻芯に接触するまで吐出部を巻芯に近づけなければならない。かかる場合、巻芯と吐出部の距離が極めて近くなるため、リールの寸法誤差、リールを回転させるギアの噛合誤差、装置駆動軸の偏心等によって、吐出部が巻芯に接触し、品質故障を招くといった問題がある。
また、巻芯と吐出部の接触を回避するために、リールの寸法等の精度を上げることも可能であるが、かかる場合においても、精度の向上や、精度を上げた装置の維持・管理にコストがかかるといった問題がある。
また、液体がアルコールの場合には、テープ先端部搬送手段の上昇下降を繰り返している間に、アルコールが蒸発してしまい、必要な量の液体が維持できなくなる虞がある。かかる場合には、より吐出部を巻芯に近づけなければならなくなるため、巻芯と吐出部がぶつかり、巻芯やテープ先端部搬送手段が損傷する虞がある。
【０００７】
そこで、前記した問題点を解決すべく、リールに接触することなく液体を巻芯に塗布することのできる貼付装置及びこれを用いたテープカートリッジの製造方法を提供することを課題とする。
【課題を解決するための手段】
【０００８】
前記課題を解決するため、本発明のテープの貼付装置は、開口部が形成されたカートリッジケース内のリールの巻芯にテープの先端部を貼り付けるテープの貼付装置であって、前記カートリッジケースを設置するケース設置部と、前記ケース設置部に設置されたカートリッジケース内に開口部を通って前記巻芯の近傍まで進退自在なテープ先端部搬送手段と、を備え、前記テープ先端部搬送手段は、前記テープを保持する吸着部と、この吸着部より先端側に形成され、貼付用の液体を噴霧するノズルと、を有することを特徴とするテープの貼付装置である。
【０００９】
かかる構成によれば、液体を噴霧するノズルが設けられているので、巻芯とノズルを接触させることなく液体を巻芯に塗布することができる。また、噴霧によって液体を散点的に巻芯に塗布することができるので、乾き方にムラが生じない。よって、安定してテープを貼り付けることができる。
なお、貼付用の液体としては、例えば、メタノール、エタノール、ＩＰＡ（イソプロパノール）等を好適に用いることができる。
【００１０】
また、本発明のテープ貼付装置は、前記リールの巻芯と前記ノズルの先端との距離を、０．５ｍｍ以上離した構造とすることもできる。
【００１１】
かかる構成によれば、液体を噴霧するノズルが設けられているので、巻芯とノズルを接触させることなく液体を巻芯に塗布することができる。したがって、従来のように、巻芯とノズルが接触することによる品質故障を防止することができる
【００１２】
また、本発明のテープ貼付装置は、前記ノズルが複数設けられた構造とすることもできる。
【００１３】
かかる構成によれば、広範囲に亘って満遍なく液体を塗布することができる。
【００１４】
前記課題を解決するため、本発明のテープカートリッジの製造方法は、テープ貼付装置を用いたテープカートリッジの製造方法であって、テープが巻装されていないリールを内蔵した前記カートリッジケースを前記ケース設置部に設置する工程と、前記吸着部に前記テープを吸着した前記テープ先端部搬送手段を、前記カートリッジケース内に前記開口部を通って前記巻芯の近傍に配置する工程と、前記テープ先端部搬送手段に設けられた前記ノズルから、前記添付用の液体を前記巻芯に噴霧する工程と、前記液体が噴霧された巻芯に前記テープを貼り付ける工程と、前記巻芯に前記テープを巻装する工程と、を備えることを特徴とするテープカートリッジの製造方法である。
【００１５】
かかる方法によれば、ノズルから巻芯に液体を噴霧した後、テープを巻芯に貼り付けて巻装する。これにより、ノズルとテープ先端部搬送手段が接触することなく、巻芯に液体を塗布することができる。
【発明の効果】
【００１６】
このようなテープの貼付装置及びこれを用いたテープカートリッジの製造方法によれば、ノズルから液体を巻芯に噴霧することで、適量の液体を散点的に塗布することができる。したがって、ムラなく液体を塗布でき、テープを巻芯に確実に貼り付けることができる。また、ノズルと巻芯が接触することがないので、巻芯やテープ先端部搬送手段が損傷する虞もない。
【発明を実施するための最良の形態】
【００１７】
次に、本発明の実施形態について、適宜図面を参照しながら詳細に説明する。図１は、本発明のテープ貼付装置が設置されたワインダの概略図である。図２は、テープ先端部搬送手段を示す図であって、（ａ）は側断面図であり、（ｂ）は平面図であり、（ｃ）は（ａ）に示したテーパ部の拡大図である。図３は、本実施形態のテープ貼付装置の動作説明図である。なお、本実施形態では、テープ貼付装置が、垂直に立設するワインダのパネルに設置された図１の状態を基準に上下左右の方向を定めて説明するものとする。
【００１８】
まず、本発明の貼付装置が設置されたワインダの構成について説明する。
図１に示すテープワインダＷは、いわゆるパンケーキ状の磁気テープＭＴを、所定の長さに切断した後、カートリッジケースＣ内に組み込まれているリールＣＲの巻芯Ｈに巻き取るための装置である。そして、このテープワインダＷには、カートリッジケースＣ内に組み込まれているリールＣＲの巻芯Ｈに、磁気テープＭＴの先端部ＭＴ１を貼り付けるためのテープ貼付装置２０が設置されている。
【００１９】
図１に示すように、テープワインダＷは、主に、テープ供給装置１０と、テープ貼付装置２０と、磁気テープＭＴの表面を研磨するブレード装置３０と、磁気テープＭＴの両面を清掃するクリーニング装置４０，４０と、走行中の磁気テープＭＴの張力を調整する張力調整装置５０と、ストックされているカートリッジケースＣをテープ貼付装置２０に供給するカートリッジケース供給部６０と、リールＣＲに磁気テープＭＴが巻装されたカートリッジケースＣを排出するカートリッジケース排出部７０とを備えて構成されている。また、磁気テープＭＴをテープ貼付装置２０まで案内するための複数のテープガイド８０がパネルＰの適所に配置されている。
なお、本実施形態では、テープ貼付装置２０はテープを巻芯Ｈに巻き取るための機能も有している。また、図中の１００は、テープワインダＷの運転を操作する操作盤である。
【００２０】
テープ供給装置１０は、テープ貼付装置２０に磁気テープＭＴを供給するための装置であり、パンケーキ状の磁気テープＭＴが巻装されたテープ供給用リールＲ１，Ｒ２とを有している。このテープ供給装置１０は、テープ供給用リールＲ１（またはＲ２）を、図示しないリール駆動装置によって所定の回転数で回転させ、テープ貼付装置２０に向けて磁気テープＭＴを送り出す。なお、テープ供給装置１０は、２つのテープ供給用リールＲ１，Ｒ２を有しているので、片方のテープ供給用リールＲ１の磁気テープＭＴがなくなったときは、テープ供給用リールＲ２に切り換えて、テープ貼付装置２０に磁気テープＭＴを連続的に供給するようになっている。
【００２１】
テープ貼付装置２０は、テープ供給装置１０から供給された磁気テープＭＴの先端部ＭＴ１をカートリッジケースＣ内のリールＣＲの巻芯Ｈに貼り付けるための装置であるとともに、磁気テープＭＴを巻芯Ｈに巻き取るための機能も有している。
【００２２】
図１に示すように、テープ貼付装置２０は、カートリッジケースＣを設置するケース設置部２１と、テープ供給装置１０から供給される磁気テープＭＴをカートリッジケースＣまで搬送するテープ先端部搬送手段２２と、を備えて構成される。
【００２３】
ケース設置部２１は、例えば、パネルＰのおよそ右下に配置されている。このケース設置部２１には、磁気テープＭＴの引出口である開口部Ｃ１をテープ先端部搬送手段２２に向けた状態でカートリッジケースＣが設置される。
【００２４】
テープ先端部搬送手段２２は、図２（ａ）及び（ｂ）に示すように、前後長の長いブロックであって、テープ供給装置１０（図１参照）から供給される磁気テープＭＴの先端部ＭＴ１付近を吸着してカートリッジケースＣ（図１参照）内に搬送するための手段である。そのため、テープ先端部搬送手段２２は、図示しないエアシリンダ等の駆動手段によって、開口部Ｃ１からカートリッジケースＣの内部に移動可能に構成されている（図３（ｂ）参照）。
【００２５】
ここで、図２（ａ）に示すように、テープ先端部搬送手段２２は、噴霧部２３と吸着部２８とから構成されている。
【００２６】
噴霧部２３は、巻芯Ｈに液体を噴霧するノズル２４と、ノズル２４に液体を供給する供給孔２５と、供給孔２５内に配設されたニードル２６と、ニードル２６の先端に取り付けられたニードルパッキン２７と、から構成されている。
【００２７】
ノズル２４は、巻芯Ｈ（図１参照）に液体を噴霧するための部材である。
図２（ａ）及び（ｂ）に示すように、ノズル２４は、テープ先端部搬送手段２２の上面に配設されている。より詳しくは、ノズル２４は、テープ先端部搬送手段２２の先端側（カートリッジケースＣ寄り）であって、テープ先端部搬送手段２２の短辺方向の中央に位置している。
また、ノズル２４は、平面視円形の部材であって、後述する供給孔２５と連通している。
なお、液体としては、例えば、メタノール、エタノール、ＩＰＡ（イソプロパノール）等の貼付用のアルコールや水等が上げられる。
【００２８】
供給孔２５は、ノズル２４に液体を供給するために設けられる。
図２（ａ）及び（ｃ）に示すように、供給孔２５は、テープ先端部搬送手段２２のブロック内に設けられている。より詳しくは、供給孔２５は、テープ先端部搬送手段２２の後端側（テープ供給装置側）からノズル２４に向かって、孔径が狭くなっている。
また、供給孔２５内には液体が貯留されており、この液体は加圧されている。
【００２９】
ここで、供給孔２５は、大径部２５ａ、テーパ部２５ｂ、小径部２５ｃから構成されている。
大径部２５ａは、供給孔２５において、もっとも孔径が広い。大径部２５ａの孔径は一定であり、テーパ部２５ｂを介して漸減され、小径部２５ｃへと連通している。小径部２５ｃは、供給孔２５において、もっとも孔径が狭い。そして、小径部２５ｃの孔径は一定であり、ノズル２４に連通している。
【００３０】
ニードル２６は、供給孔２５内に配設された部材である。
図２（ａ）及び（ｃ）に示すように、ニードル２６の先端は、供給孔２５と同じように、テープ先端部搬送手段２２の先端側に向かうにつれて径が漸減し、尖っている。また、その先端部の径は、ノズル２４へと続く縮径した小径部２５ｃよりも細くなっている。
また、ニードル２６と供給孔２５との間には、隙間が空いており、その間には、図示しない液体供給装置から、液体が充填・加圧されている。
なお、ニードル２６は、図示しないエアシリンダ等の駆動手段に接続されており、進退自在に動くことができる。
【００３１】
ニードルパッキン２７は、ノズル２４への液体の供給を遮断するための部材である。
図２（ａ）及び（ｃ）に示すように、ニードルパッキン２７は、ニードル２６の先端に取り付けられている。
また、ニードルパッキン２７の孔径は、ニードル２６の先端が供給孔２５の小径部２５ｃに嵌まり込まないようにするため、小径部２５ｃの孔径よりも大きく、大径部２５ａの直径よりも小さく構成されている。好ましくは、小径部２５ｃの孔径よりも、僅かに大きい程度がよい。
なお、本実施形態にかかるニードルパッキン２７は、ゴムなどの弾性部材やプラスチック等の合成樹脂で形成することが好ましい。
【００３２】
吸着部２８は、第１の吸着部２８ａと、第２の吸着部２８ｂとから構成されており、ノズル２４よりもテープ先端部搬送手段２２の後端側に配設されている。
【００３３】
図２（ａ）及び（ｂ）に示すように、第１の吸着部２８ａには、複数の孔Ｈ１が開口している。この孔Ｈ１は、テープ先端部搬送手段２２のブロック内で一本の通路Ｔ１に集結されている。さらに、この通路Ｔ１には、ホース、切替弁等を介して真空ポンプ及びコンプレッサが接続されている（図示せず）。したがって、例えば、磁気テープＭＴの搬送時には、真空ポンプに接続することで、孔Ｈ１に磁気テープＭＴを真空吸着させることができる。また、コンプレッサに接続されるように切替弁で切り替えることで、磁気テープＭＴを巻芯Ｈに吹き付けることができる。
【００３４】
第２の吸着部２８ｂにも同様に、複数の孔Ｈ２が開口している。この孔Ｈ２は、テープ先端部搬送手段２２のブロック内で一本の通路Ｔ２に集結され、この通路Ｔ２にホース、ソレノイドバルブ等を介して真空ポンプが接続されている（図示せず）。したがって、磁気テープＭＴの搬送時には、真空ポンプに接続された状態で、孔Ｈ２も磁気テープＭＴを真空吸着できる。
なお、第２の吸着部２８は、第１の吸着部２８よりも、テープ先端部搬送手段２２の後端側に配設されている。
【００３５】
次に、テープ貼付装置の動作及びテープカートリッジの製造方法について説明する。
まず、図３（ａ）に示すように、磁気テープＭＴを図示しない真空ポンプからテープ先端部搬送手段２２の孔Ｈ１，Ｈ２に真空吸着させた後、水平方向に移動し、カートリッジケースＣ内に移動する。
【００３６】
次に、図３（ｂ）に示すように、ノズル２４がカートリッジケースＣ内の巻芯Ｈの下方に来るまで移動させた後、巻芯Ｈとノズル２４とがぶつからない位置までテープ先端部搬送手段を上昇させる。なお、このとき、巻芯Ｈとノズル２４との間隔が少なくとも０．５ｍｍ以上あいていることが好ましい。そして、巻芯Ｈを回転させると共に、図示しないシリンダ等の駆動手段によって、ニードル２６を後退させる。これにより、ニードルパッキン２７とテーパ部２５ｂとの間に隙間ができる。このとき、液体には圧力がかけられているので、ニードルパッキン２７とテーパ部２５ｂとの間に隙間ができると、その隙間から液体がノズル２４に供給される。そして、巻芯Ｈに向かって霧状に液体が噴霧され、巻芯Ｈ全体に液体を塗布することができる。
これによれば、巻芯Ｈとノズル２４との間に０．５ｍｍ以上の間隔があるので、巻芯Ｈとノズル２４とが接触することなく、液体を塗布することができる。また、巻芯Ｈとノズル２４とが接触する虞もないので、品質故障の発生を防止することもできる。さらに、液体を霧状に噴霧できるので、巻芯Ｈにムラなく散点的に塗布することができる。
なお、液体の塗布量及び範囲は、ニードル２６の進退のタイミングとノズル２４形状により調節することができるので、巻芯Ｈの形状などに応じて、適宜変更可能である。
【００３７】
次に、図３（ｃ）に示すように、テープ先端部搬送手段２２をさらに前進させて、磁気テープＭＴの先端部ＭＴ１が巻芯Ｈの下方に位置するまで移動させる。そして、巻芯Ｈを回転させると共に、孔Ｈ２には磁気テープＭＴを真空吸着させたまま、孔Ｈ１を切替弁で真空ポンプからコンプレッサに接続を切り替える。これにより、真空吸着を解除して孔Ｈ１に圧縮エアを供給でき、磁気テープＭＴの先端部ＭＴ１を巻芯Ｈに吹き付けることができるので、先端部ＭＴ１を巻芯Ｈに貼り付けることができる。また、孔Ｈ２には磁気テープＭＴが真空吸着させたままなので、先端部ＭＴ１をぶれさせずに巻芯Ｈに吹き付けることができる。したがって、位置ずれさせずに先端部ＭＴ１を巻芯Ｈに貼り付けることができる。
なお、液体の塗布範囲は、巻芯Ｈの軸方向の長さの中心から等間隔に塗布されていることが好ましい。かかる場合、テープが剥がれて折れたり、フランジに乗り上げたりすることなく、安定して巻きつけることができる。これにより、テープ変形に伴うエラーの発生を防止することができる。
【００３８】
そして、図３（ｄ）に示すように、テープ先端部搬送手段２２を降下させ、カートリッジケースＣ内から後退させる。このようにして、磁気テープＭＴを巻芯Ｈに貼り付ける作業を完了する。
【００３９】
その後、ケース設置部２１によってリールＣＲを回転させることにより、磁気テープＭＴをリールＣＲに巻装する。磁気テープＭＴを所定の長さだけ巻き取ったら、テープカッタ（図示せず）を用いて磁気テープＭＴを切断する。このあと、図示しないリーダピン取り付け装置によって磁気テープＭＴの端部にリーダピン及びクリップ（図示せず）が取り付けられることでテープカートリッジＣが完成する
なお、磁気テープＭＴは、巻芯Ｈに複数回巻き付けられると、摩擦保持力及び上層の磁気テープＭＴの巻き圧によって所定の張力に耐え得る状態となる。したがって、液体が蒸発し、貼着力が失われたとしても磁気テープＭＴがほどけることはない。
【００４０】
完成された磁気テープカートリッジＣは、カートリッジケース排出部７０から排出される。そして、ケース設置部３１には、新たなカートリッジケース１が設置され、上記の手順が繰り返されて磁気テープカートリッジＣが順次生産される。
【００４１】
以上によれば、本実施形態において、以下の効果を得ることができる。
巻芯Ｈとノズル２４は非接触であるため、品質故障の発生を防止できる。また、散点的に塗布できるので、従来のように液体を直接塗布する場合に比べて乾きにムラができない。したがって、安定して、磁気テープを貼り付けることができると共に、アルコール量の多少による磁気テープＭＴの剥がれ等を防止できる。
また、巻芯Ｈとノズル２４が接触しないので、精度の向上や、精度を上げた装置の維持・管理にコストがかかることもない。したがって、ランニングコストを削減できる。
【００４２】
以上、本発明の実施形態について説明したが、本発明は前記実施形態には限定されない。例えば、図４に示すように、ノズル２４を複数設けてもよい。ここで、図４は、テープ先端部搬送手段にかかる他の実施形態を示す平面図である。これにより、ノズル２４を一つだけ設けた場合よりも、広範囲に液体を塗布することが可能である。なお、ノズル２４の位置や数はこれに限られるものではなく、適宜設計変更可能である。
【００４３】
また、前記実施形態では、液体に直接圧力をかけたが、これに限られるものではなく、圧縮空気で噴射することも可能である。かかる場合においても、巻芯とノズルが接触することなく、巻芯に液体を塗布することができると共に、品質故障の発生を防止することができる。
【００４４】
さらに、前記実施形態では、磁気テープのワインダ装置に適用した場合について説明したが、テープをリールの巻芯に貼り付ける必要がある種々の装置に適用することができる。
【図面の簡単な説明】
【００４５】
【図１】本実施形態にかかる磁気テープカートリッジの製造装置を示す正面図である。
【図２】本実施形態にかかるテープ先端部搬送手段を示す図であって、（ａ）は側断面図であり、（ｂ）は平面図、（ｃ）は（ａ）に示したテーパ部の拡大図である。
【図３】本実施形態にかかるテープ貼付装置の動作説明図である。
【図４】他の実施形態にかかるテープ先端部搬送手段を示す平面図である。
【符号の説明】
【００４６】
２０    テープ貼付装置
２１    ケース設置部
２２    テープ先端部搬送手段
２４    ノズル
３２    テープ先端部搬送手段
Ｃ      カートリッジケース
Ｃ１    開口部
ＣＲ    リール
Ｈ      巻芯
ＭＴ    磁気テープ（テープ）
ＭＴ１  先端部
【図１】
2007328830.tif 000003
【図２】
2007328830.tif 000004
【図３】
2007328830.tif 000005
【図４】
2007328830.tif 000006